(57)【要約】  可撓性を有するホイル状の第一の材料で構成された包装バッグ（１０）は、バッグ前部壁（１４）及びバッグ後部壁（１６）と、切取り線（２４）に沿って分離可能な開封部（２６）と、第二の材料で構成され、かつ、実質的に形態安定性を備えた、外部包装材（２８）とを有する。外部包装材（２８）は、実質的にバッグ壁（１４、１６）に隣接する前方壁（３０）と後方壁（３２）を有し、これらの前方壁と後方壁は、バッグの縦方向（Ｉ）に延在する側部密封縁部（３４、３５）によって連結される。包装バッグ（１０）は、外部包装材（２８）の前方壁（３０）と後方壁（３２）の間に固定される。開封部（２６）を切取り、外部包装材（２８）を横方向に押圧すると、取り出し口（３８）が開口する。外部包装材（２８）の端部のうち、開封部（２６）からさらに遠方に位置する端部は起立面を形成する。
2008536769.tif 000002
【特許請求の範囲】
【請求項１】
可撓性を有するホイル状の第一の材料で構成された包装バッグであって、前記包装バッグは、バッグ前部壁（１４）及びバッグ後部壁（１６）と、前記包装バッグの縦方向（ｌ）を横切る方向に延在する切取り線（２４）に沿って分離可能な開封部（２６）と、第二の材料で構成され、かつ、十分な形態安定性を備えた、外部包装材（２８、４４）とを有する、前記包装バッグにおいて、前記外部包装材（２８、４４）は、前記バッグ壁（１４、１６）に大部分で隣接する前方壁（３０、４６）と後方壁（３２、４８）とを有し、前記前方壁（３０、４６）及び前記後方壁（３２、４８）は、前記包装バッグの縦方向（ｌ）に延在する側部密封縁部（３４、３５；５０、５１）によって連結され、前記包装バッグは、前記外部包装材の前記密封縁部（３４、３５；５０、５１）の内部に封入され又は結合され、これにより、前記開封部（２６）が切り取られると、前記外部包装材（２８、４４）に作用する横からの圧力によって取り出し口（３８、５８）が形成されることを特徴とする、包装バッグ。
【請求項２】
請求項１に記載した包装バッグにおいて、前記バッグ材料と前記外部包装材はモノマテリアルであることを特徴とする、前記包装バッグ。
【請求項３】
請求項1又は２に記載した包装バッグにおいて、前記バッグ壁（１４、１６）は、側方に延在する封緘縁部（１８、１９）によって、前記包装バッグの縦方向（ｌ）に、互いに連結され、前記外部包装材の前記密封縁部（３４、３５；５０、５１）の内部に封入され又は結合されていることを特徴とする、前記包装バッグ。
【請求項４】
請求項1乃至３のうちのいずれか一項に記載した包装バッグにおいて、前記バッグの端部は、前記開封部（２６）によって前記外部包装材（２８）の外部に突出し、前記開封部（２６）からさらに遠方に位置する前記外部包装材（２８）の端部は、起立面を形成することを特徴とする、前記包装バッグ。
【請求項５】
請求項1乃至３のうちのいずれか一項に記載した包装バッグにおいて、前記開封部（２６）を有する前記バッグの端部は、前記外部包装材（４４）の前記前方壁（４６）と前記後方壁（４８）の間に配置され、前記外部包装材（４４）は、前記開封部（２６）の前記切取り線（２４）の上に配置された切取り線（５４）に沿って分離可能な切取り部（４９）を有し、これにより、前記包装バッグ（１０）の前記開封部（２６）は、前記外部包装材（４４）の前記切取り部（４９）と共に切り離すことが可能であることを特徴とする、前記包装バッグ。
【請求項６】
請求項５に記載した包装バッグにおいて、前記切取り部（４９）を切り離した後に前記バッグ（１０）に残る前記外部包装材（４４）の部分（６８）は、閉鎖部を形成し、前記閉鎖部は、前記密封縁部（５０、５１）を互いに押圧し、また、解放することにより、容易に開放し、そして、自動的に閉鎖することを特徴とする、前記包装バッグ。
【請求項７】
請求項1乃至６のうちのいずれか一項に記載した包装バッグにおいて、前記バッグの材料は、プラスチック材料からなるフィルムであることを特徴とする、前記包装バッグ。
【請求項８】
請求項1乃至６のうちのいずれか一項に記載した包装バッグにおいて、前記バッグの材料は、プラスチック材料でラミネートされた紙であることを特徴とする、前記包装バッグ。
【請求項９】
請求項1乃至８のうちのいずれか一項に記載した包装バッグにおいて、前記包装バッグ（１０）は、印刷されていないことを特徴とする、前記包装バッグ。
【請求項１０】
請求項１乃至９のうちのいずれか一項に記載した包装バッグにおいて、前記外部包装材の材料は、厚紙であることを特徴とする、前記包装バッグ。
【請求項１１】
請求項1乃至９のうちのいずれか一項に記載した包装バッグにおいて、前記外部包装材の材料は、透明又は不透明のプラスチック材料であることを特徴とする、前記包装バッグ。
【請求項１２】
請求項１乃至１１のうちのいずれか一項に記載した包装バッグにおいて、前記外部包装材（２８、４４）は、印刷されていることを特徴とする、前記包装バッグ。
【請求項１３】
請求項1乃至１２のうちのいずれか一項に記載した包装バッグにおいて、前記包装バッグ（１０）は、前記外部包装材（２８、４４）の内壁上の複数の接着箇所（３６、７０）によって、固定されていることを特徴とする、前記包装バッグ。
【請求項１４】
請求項１乃至１３のうちのいずれか一項に記載した包装バッグにおいて、前記包装バッグ（１０）は、起立型のバッグ、管状のバッグ、又は、押出し成形されたバッグであることを特徴とする、前記包装バッグ。
【請求項１５】
請求項３乃至１４のうちのいずれか一項に記載した複数の包装バッグ（１０）によって構成された複合包装体において、前記複数の外部包装材（４４）は、互いに隣接した状態でストリップ形状に並べられ、そして、個々の包装に分離するために、複数の穿孔線（７２）が形成されていることを特徴とする、前記複合包装体。
【請求項１６】
複数の包装バッグ（１０）と、プラスチック材料で構成された外部包装材（２８、４４）とを有する、複合包装体において、前記バッグ（１０）は、前記外部包装材（２８、４４）の内部に嵌め込み可能であることを特徴とする、複合包装体。
【請求項１７】
飲用の又はスプーンですくい取ることができる内容物を包装するための、及び、動物用食物を包装するための、請求項１乃至１４のうちのいずれか一項に記載された包装バッグ（１０）の使用。
【請求項１８】
飲用の又はスプーンですくい取ることができる内容物を形成するために、流体と共に攪拌することができる内容物を包装するための、請求項１乃至１４のうちのいずれか一項に記載した包装バッグ（１０）の使用。
【発明の詳細な説明】
【技術分野】
【０００１】
本発明は、可撓性を有するホイル状の第一の材料で構成された包装バッグであって、バッグ前部壁及びバッグ後部壁と、包装バッグの縦方向を横切る方向に延在する切取り線に沿って分離可能な開封部と、第二の材料で構成され、かつ、十分な形態安定性を備えた、外部包装材とを有する、包装バッグに関するものである。
【背景技術】
【０００２】
通常は立体熱成形又は射出成形によって製造され、密閉された蓋体を有し、プラスチック材料で構成される、剛性又は形態安定性を有する容器と、プラスチック材料の積層品から製造される剛性を有するバッグとは、例えば、果汁、水又はスープのような飲用及び／又はスプーンですくい取ることができる内容物を一人分ずつ包装する手段として知られている。このような種類の包装容器及び包装バッグは、安定性を得るために必要な材料が増加するため、生態学的に無害ではなく、比較的高価でもある。更に、これらの包装材には、広告媒体として、一般的に直接印刷が施されるから、基本的に、充填された内容物中に望ましくない物質が移行する危険性を包含する。
【発明の開示】
【発明が解決しようとする課題】
【０００３】
本発明の目的は、先行技術の包装が有する前述の不都合を有さないか、前述の不都合を減少させる包装であって、例えば、果汁、水又はスープのような飲用又はスプーンですくい取ることができる製品の包装を提供し、又、例えば、ペットフードのように液体部分と固体部分とを有する製品や半固体の製品の包装を提供することにある。
【課題を解決するための手段】
【０００４】
冒頭に述べた種類の包装バッグにおいて、この目的は、その外部包装材がバッグ壁に大部分で隣接する前部壁と後部壁とを有し、この前部壁及び後部壁が包装バッグの縦方向に延在する側部密封縁部によって連結され、そして、前述の包装バッグが、外部包装材の封緘縁部の内部に封入され、又は、例えば、熱溶融手段によって複数箇所で結合され、これにより、開封部が切り離されると、外部包装材に作用する横からの圧力によって取り出し口が形成されるように構成された、本発明によって達成される。
【０００５】
このバッグの材料と外部包装材の材料は、充填される内容物に関して、感覚刺激に対する反応性と化学作用とが中性のモノマテリアルであることが好ましい。
【０００６】
バッグ前部壁とバッグ後部壁は、側方に延在する密封縁部によって、バッグの縦方向に互いに連結されることが可能であり、これらのバッグ前部壁とバッグ後部壁は、外部包装材の封緘縁部の内部に封入可能であり、又は、結合可能である。
【発明の効果】
【０００７】
本発明の包装バッグの第一の好ましい実施例では、開封部を有するバッグ端部は外部包装材から突出し、そして、この開封部からさらに遠方に位置する外部包装材の端部は起立面を形成する。
【０００８】
この第一実施例において、包装バッグ自体は、それ自体の安定性に拘わらず、起立型のバッグであることが可能であり、又は、管状のバッグであることができる。本発明の包装バッグに使用されるバッグ材料は、それ自体が安定性を有する起立型のバッグを構成するために必要な剛性材料に比較して、より小さな厚さを有するから、それに相応して経済的である。開封部を取り除いた後に、外部包装材を横から押圧することによって形成される取り出し口は、外部包装材に設けられた補強部材によって、完全にかつ永続的に開口した状態を維持する。再度閉鎖することができないこの包装は、再度閉鎖することができないが故に、特に、スプーンですくい取ることができる内容物に適している。
【０００９】
本発明の包装バッグの第二の好ましい実施例では、開封部を有するバッグ端部が外部包装材の前部壁と後部壁の間に配置され、外部包装材は、開封部の切取り線の上に配置された切取り線に沿って分離可能な切取り部を有する。これにより、この包装の開封部は、外部包装材の切取り部とともに分離することができる。切取り部が分離された後にバッグに残る外部包装材の部分は、閉鎖部を形成し、この閉鎖部は、互いに押圧してそれらの密封縁部を解放させることによって、容易に開口し、かつ、再度、自動的に閉鎖する。開封部を取り除いた後に、外部包装材を横から押圧することによって形成される取り出し口は、横からの押圧を止めると、再度、自動的に閉鎖する。それ故、この包装は特に飲料用に適している。
【００１０】
この第二実施例は、複数の包装バッグによって構成される複合包装体を製造するために適している。これらの外部包装材は、互いに隣り合うように配置されて、ストリップ形状に整列させられ、更に、個々の包装に分離するために、複数の切取り線が設けられている。例えば、三つ、四つ又はそれ以上の包装単体を有する複合包装体は、安定した多角形を形成するように配置することができるから、本実施例においても、包装バッグそのものは、それ自体が安定性を有さなくても、経済的な起立型のバッグや管状のバッグ、又は、押出し成形されたバッグであることができる。
【００１１】
他の複合包装体は、複数の包装バッグと、プラスチック材料で構成された単一の外部包装材とによって構成される。これらのバッグは、第一に、使用前に外部包装材に嵌め込まれ、そして、使用後に外部包装材から再度取り外される。
【００１２】
本発明の包装バッグのバッグ材料は、好ましくは、プラスチック材料フィルム又はプラスチック材料でラミネートされた紙である。未知の物質がバッグの内部に移行することを防止するため、この包装バッグに印刷は行われない。
【００１３】
この外部包装材はいずれかの経済的なモノマテリアルによって構成することができる。好ましい外部包装材は、厚紙、透明なプラスチック材料、又は、不透明なプラスチック材料である。この外部包装材には、如何なる方法による印刷も可能である。
【００１４】
この包装バッグは、特に、飲用又はスプーンですくい取ることができる内容物の包装と、飲用又はスプーンですくい取ることができる内容物を形成するために、液体を加えて攪拌することができる内容物の包装とに適する。この包装は、ペットフードの包装にも適する。
【００１５】
例えば、スープのような食料は、本発明の包装バッグの内部で、前述の開口された状態の外部包装と共に、随意に冷水と一緒に攪拌された後に、電子レンジ装置の内部で直接加熱することができる。
【００１６】
炭酸水又は無炭酸水の場合には、この包装システムは、内容物を貯蔵するために使用されると同時に、飲用に適した器としても使用される。
【００１７】
飲むために口に当てられる外部包装の部分には、衛生上の理由から、飲む前に取り除かれるラベルや包装バンドをあてがうことができる。このような方法で、汚染されない飲み口が提供される。
【００１８】
充填される内容物の種類によっては、例えば、袋入りスープに熱湯を入れて攪拌するように、内容物に流体を加えて攪拌したり、或いは、例えば、ヨーグルトのように、内容物が既に液体又はスプーンですくい取ることができる形態で存在することもある。
【００１９】
本発明の更に他の利点、特徴及び詳細は、概略図として描かれた図面を補助として、以下の好ましい実施例から明らかになる。
【実施例１】
【００２０】
図１に示した包装バッグ１０は、例えば、ポリアミドのような可撓性シート材料で構成された管状バッグの形態をなし、この包装バッグ１０は、内部に密封された底部１２と、前部壁１４と、後部壁１６とを有する。側方に配置された二つの縦方向密封シーム１８、１９は、バッグの縦方向ｌを定義し、底部１２から突出している二つのバッグ壁１４、１６を連結し、更に、底部から離隔した端縁部で縦方向密封シーム１８、１９を連結する横方向密封シーム２０と共働して、閉鎖された包装バッグ１０を形成する。
【００２１】
前記底部から離隔して位置する包装バッグ１０の端縁部には、横方向密封シーム２０が位置し、横方向密封シーム２０は、バッグから分離可能な開封部２６の一部を構成する。包装バッグ１０を開くには、バッグ壁１４、１６に配置された切取り線２４に沿って開封部２６を切り取る。切取り線２４は、横方向密封シーム２０から短い距離をおいて、横方向密封シーム２０に平行に延在する。切取り線２４で終結する先端部を備えた切取り用切欠き部２２、２３が、引き裂くための補助として、縦方向密封シーム１８、１９に設けられている。
【００２２】
外部包装材２８は、例えば、厚紙のような形態安定性を有する材料で構成され、前方壁３０と後方壁３２とを有する。外部包装材２８は、包装バッグ１０を包囲し、包装バッグ１０の底部からバッグ壁１４、１６を経て開封部２６に向かって延在し、切取り線２４から短い距離のところで終結する。
【００２３】
外部包装材の壁３０、３２は、このバッグの縦方向に延在する二つの側部密封シーム３４、３５によって、互いに結合される。これらの二つの外部包装材の壁３０、３２を密封する間、外部包装材２８の前方壁３０と後方壁３２の間に配置された包装バッグ１０の側方の縦方向密封シーム１８、１９は、外部包装材２８の側部密封シーム３４、３５の内部に差し込まれる（図３）。更に、包装バッグ１０のバッグ壁１４、１６は、複数の接着箇所３６によって外部包装材２８の内壁に部分的に固定されている。
【００２４】
開封部２６が切り取られると、開口３８が形成され、開口３８は、外部包装材２８の密封シーム３４、３５を同時に押圧することによって、所望の最大開口寸法まで調節することができる。図２に示すように、外部包装材３０、３２は、バッグ開口３８の下方の側方密封シーム３４、３５を矢印Ａの方向に押圧することによって隆起し、膨らむように作られている。開口３８が再び自動的に閉じてしまわないように、外部包装材２８には、包装バッグ１０の縦方向Ｉに延在する複数の溝４０を配置することができる。バッグ開口３８の領域に存在する包装バッグ１０と外部包装材４４の間の複数の接着箇所３６は、圧力で変形している外部包装材４４の開口動作にこのバッグを確実に追随させる。
【００２５】
図１に点線で示されている窓４２は、図２に示すように、外部包装材２８の前方壁３０に切り抜かれて形成される。透明な材料で構成された包装バッグ１０との組み合わせで、窓４２は、包装バッグ１０に充填された内容物を見ることを可能にする。この透明性は、包装バッグ１０及び外部包装材２８の両方に透明プラスチック材料を使用することにより、窓を形成するまでもなく、達成することもできる。
【実施例２】
【００２６】
図４に示した実施例では、外部包装材４４は、開口領域に十分に広がり、かつ、包装バッグ１０の縦方向密封シーム１８、１９に沿って、事実上、二つの細長い左右側片６０、６２の形態で伸びている。外部包装材４４は、包装バッグ１０の開口領域でバッグ前部壁１４に隣接する前方壁の部分４６と、バッグ後部壁１６に隣接する後方壁の部分４８とからなり、これらの前方壁の部分４６と後方壁の部分４８は、包装バッグ１０の引き離し可能な開封部２６を両側面から覆っている（図６）。
【００２７】
外部包装材４４の前方壁の部分４６と後方壁の部分４８は、それらの細長い左右側片６０、６２において密封シーム５０、５１によって互いに結合され、かつ、開封部２６の領域で横方向密封シーム５２によって互いに結合される。外部包装材４４の前方壁の部分４６と後方壁の部分４８は、外部包装材４４が密封される間に、側部密封シーム５０、５１の間に差し込まれ、これにより、外部包装材４４は包装バッグ１０に固定される（図７）。
【００２８】
包装バッグ１０を開くには、外部包装材４４の切取り部４９を切取り線５４に沿って切取る。切取り線５４は、前方壁の部分４６と後方壁の部分４８に形成され、かつ、包装バッグ１０の開封部２６の切取り線２４の上に配置される。切取り用切欠部５６、５７は、切取りを補助する手段として、切取り線５４の両端部に接するように、側部密封シーム５０、５１に形成される。
【００２９】
図５に示すように、包装バッグ１０が開封された後に、その開封領域に残る外部包装材４４の部分は、バッグ開口５８を囲繞する。バッグ開口５８は、二つの材料片６４、６６の形態に形成され、これらの二つの材料片６４、６６は、縦方向の密封シーム５０、５１によって互いに結合されて、カラー６８を形成する。カラー６８は、カラー６８の側部密封シーム５０、５１に矢印Ａの方向に圧力をかけることによって、隆起して膨らむと共に、開口５８が矢印Ｂの方向に拡大するように作られている。カラー６８の側部密封シーム５０、５１に矢印Ａの方向に圧力をかけないと、バッグ開口５８は閉鎖されたままの状態を維持し、又は、自動的に再度閉鎖する。カラー６８の領域において、包装バッグ１０と外部包装材４４の間に複数の接着箇所７０を設けることによって、このバッグを、圧力によって変形している外部包装材４４又はカラー６８の開口動作に、確実に追随させるようにする。
【００３０】
材料片６４、６６又はカラー６８に隣接し、かつ、包装バッグ１０の縦方向密封シーム１８、１９を部分的に囲繞する、細長い左右側片６０、６２は、このバッグを縦方向Ｉに安定させる。図５に点線で示されているように、細長い左右側片６０、６２は、このバッグの長さの全体（１）にわたって延在することが可能であり、又は、このバッグの長さの一部（２）にのみ延在することが可能であり、又は、この外部包装材が実質的にカラー６８に限定されるように、省略（３）することもできる。
【００３１】
図４及び８に示すように、複数の外部包装材４４をストリップ状に連結し、複数の包装バッグ１０を連結して複合包装体を形成することができる。複合包装体の個々の包装単体は、この複合包装体の隣り合う外部包装材４４の間に形成された切取り用の穿孔、その他の弱化線７２に沿って分離可能である。
【実施例３】
【００３２】
複合包装体の安定性を向上させるために、例えば、図９及び１０に示した実施例のように、これらの複合包装体を環状に配置することができる。
【図面の簡単な説明】
【００３３】
【図１】図１は、外部包装材を備えた包装バッグの斜視図を示す。
【図２】図２は、図１の外部包装材を備えた包装バッグから開封部を分離させたときの包装バッグの斜視図を示す。
【図３】図３は、図１の外部包装材を備えた包装バッグの図１のI−I線に沿った断面図を示す。
【図４】図４は、外部包装材を備えた包装バッグの他の実施例の斜視図を示す。
【図５】図５は、図４の外部包装材を備えた包装バッグから開封部を分離させたときの包装バッグの斜視図を示す。
【図６】図６は、図４の外部包装材を備えた包装バッグの図４のII−II線に沿った縦断面図を示す。
【図７】図７は、図４の外部包装材を備えた包装バッグの一部の図４のIII―III線に沿う断面図を示す。
【図８】図８は、図４の外部包装材を備えた複数の包装バッグの複合包装体の平面図を示す。
【図９】図９は、三つの包装バッグを有する図８の複合包装体の一実施形態の平面図を示す。
【図１０】図１０は、四つの包装バッグを有する図９の複合包装体の一実施形態の平面図を示す。
【図１】
2008536769.tif 000003
【図２】
2008536769.tif 000004
【図３】
2008536769.tif 000005
【図４】
2008536769.tif 000006
【図５】
2008536769.tif 000007
【図６】
2008536769.tif 000008
【図７】
2008536769.tif 000009
【図８】
2008536769.tif 000010
【図９】
2008536769.tif 000011
【図１０】
2008536769.tif 000012
【国際調査報告】
2008536769.tif 000013
2008536769.tif 000014
2008536769.tif 000015
2008536769.tif 000016
2008536769.tif 000017
2008536769.tif 000018
2008536769.tif 000019
2008536769.tif 000020
2008536769.tif 000021
2008536769.tif 000022